【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
蓄積システムであって、
データを蓄積するように機能する不揮発性メモリと、
前記不揮発性メモリへ機能的に結合し、かつ事業体と通信するように構成されるコントローラと、
前記事業体による起動時にデータを処理するように機能する１つ以上のソフトウェアアプリケーションと、
前記事業体を認証するための情報および前記事業体が前記コントローラによって認証されしだい前記事業体が前記データにアクセスし、かつ前記ソフトウェアアプリケーションのうちの特定のソフトウェアアプリケーションを起動し、かつこれと通信する権限を判断するためのさらなる情報を収容するアクセス管理構造と、
を備える蓄積システム。
【請求項２】
請求項１記載の蓄積システムにおいて、
前記アクセス管理構造は、前記１つ以上のソフトウェアアプリケーションの権限を判断するためのさらなる情報を収容する蓄積システム。
【請求項３】
請求項１記載の蓄積システムにおいて、
前記アクセス管理構造は、前記蓄積システムに蓄積されたデータのうちの、前記事業体と前記１つ以上のソフトウェアアプリケーションとの両方にアクセスを許可するデータがどれなのかを判断するためのさらなる情報を収容する蓄積システム。
【請求項４】
請求項１記載の蓄積システムにおいて、
前記アクセス管理構造は、前記ソフトウェアアプリケーションのうちの特定のソフトウェアアプリケーションが前記不揮発性メモリに蓄積された前記データにアクセスする権限を管理するためのさらなる情報を収容する蓄積システム。
【請求項５】
請求項１記載の蓄積システムにおいて、
前記コントローラは、前記データの共用を目的に別々の事業体およびソフトウェアアプリケーション間で権限を委譲するにあたって、前記アクセス管理構造をさらに利用するように機能する蓄積システム。
【請求項６】
請求項１記載の蓄積システムにおいて、
前記アクセス管理構造は、第１および第２の副管理構造を含み、前記第１の副管理構造は前記１つ以上のソフトウェアアプリケーションに結び付き、前記第２の副管理構造は事業体に結び付き、前記第１の副管理構造と前記第２の副管理構造との間では権限を委譲できる蓄積システム。
【請求項７】
請求項１記載の蓄積システムにおいて、
前記１つ以上のソフトウェアアプリケーションは、前記データの処理にあたって前記事業体によって選択できかつ起動できるＤＲＭソフトウェアアプリケーションを含む蓄積システム。
【請求項８】
請求項１記載の蓄積システムにおいて、
前記１つ以上のソフトウェアアプリケーションは２つ以上のソフトウェアアプリケーションを含み、前記事業体は、データ処理要求によって前記２つ以上のソフトウェアアプリケーションを起動し、前記蓄積システムは、前記２つ以上のソフトウェアアプリケーションの各々１つに対応し、前記事業体から前記２つ以上のソフトウェアアプリケーションへ前記データ処理要求を通過させる通信チャネルをさらに備え、前記アクセス管理構造は、前記事業体から前記２つ以上のソフトウェアアプリケーションのうちのいずれか１つにかけて前記データ処理要求のうちのいずれか１つを通過させるために前記通信チャネルを管理し、前記通信チャネルの各々は、ただ１つのアプリケーションに対応する蓄積システム。
【請求項９】
請求項８記載の蓄積システムにおいて、
セキュアストレージアプリケーションをさらに備え、前記通信チャネルを通過するデータ処理要求の情報は、前記セキュアストレージアプリケーションにとって透過である蓄積システム。
【請求項１０】
請求項１記載の蓄積システムにおいて、
前記アクセス管理構造と、前記事業体と、前記１つ以上のソフトウェアアプリケーションとに連係するセキュアストレージアプリケーションをさらに備える蓄積システム。
【請求項１１】
請求項１０記載の蓄積システムにおいて、
前記１つ以上のソフトウェアアプリケーションは、前記セキュアストレージアプリケーションへ要求を送信し、前記セキュアストレージアプリケーションは、前記事業体からの要求と前記１つ以上のソフトウェアアプリケーションからの要求とを区別しない蓄積システム。
【請求項１２】
請求項１記載の蓄積システムにおいて、
前記事業体によってアクセスされかつ前記不揮発性メモリに蓄積される少なくとも１つのデータオブジェクトをさらに備え、前記少なくとも１つのデータオブジェクトは、前記データおよび前記少なくとも１つのデータオブジェクトと前記１つ以上のソフトウェアアプリケーションとの間の少なくとも１つの結び付きを蓄積し、これにより、情報を求める要求が前記事業体によって前記アクセス管理構造へ送信されると、前記少なくとも１つの結び付きにより前記１つ以上のソフトウェアアプリケーションが起動される蓄積システム。
【請求項１３】
請求項１２記載の蓄積システムにおいて、
前記不揮発性メモリに蓄積される暗号化コンテンツをさらに備え、前記データは復号化鍵値を含み、前記情報は、前記１つ以上のソフトウェアアプリケーションによって前記暗号化コンテンツと前記復号化鍵値とから得られる復号化コンテンツを含む蓄積システム。
【請求項１４】
請求項１２記載の蓄積システムにおいて、
前記データは、前記１つ以上のソフトウェアアプリケーションにより使い捨てパスワードを生成するためのシード値を含み、前記情報は、前記使い捨てパスワードを含む蓄積システム。
【請求項１５】
請求項１記載の蓄積システムにおいて、
秘密鍵と公開鍵とからなる鍵対を含むオブジェクトと、前記公開鍵を収容する少なくとも１つの証明書と、をさらに備え、前記１つ以上のソフトウェアアプリケーションは、前記事業体に対して前記公開鍵が真正であることを証明するため、そして前記公開鍵により暗号化されたデータを入手するため、前記少なくとも１つの証明書を使用する蓄積システム。
【請求項１６】
請求項１記載の蓄積システムにおいて、
前記不揮発性メモリに蓄積される暗号化データをさらに備え、前記暗号化データは、前記蓄積システムに蓄積された復号化鍵によって復号化でき、前記復号化鍵に対するアクセスの管理にあたって前記アクセス管理構造が利用される蓄積システム。
【請求項１７】
請求項１６記載の蓄積システムにおいて、
前記復号化鍵にアクセスできるのは前記コントローラだけである蓄積システム。
【請求項１８】
請求項１記載の蓄積システムにおいて、
前記事業体と前記蓄積システムとの通信のために前記不揮発性メモリに蓄積される１セットのプロトコルをさらに備え、前記プロトコルのうちの少なくとも１つは、前記１つ以上のソフトウェアアプリケーションの起動により修正できる蓄積システム。
【請求項１９】
請求項１８記載の蓄積システムにおいて、
前記１つ以上のソフトウェアアプリケーションの起動は、前記少なくとも１つのプロトコルを別のプロトコルに差し替える蓄積システム。
【請求項２０】
請求項１９記載の蓄積システムにおいて、
前記別のプロトコルは、信用証明取消制度に関係する蓄積システム。
【請求項２１】
請求項１記載の蓄積システムにおいて、
前記アクセス管理構造は、アクセスポリシーを執行することによってデータへのアクセスを管理し、前記１つ以上のソフトウェアアプリケーションの起動は、前記事業体による前記データへのアクセスにあたって前記アクセスポリシーとは異なる少なくとも１つの追加条件を課す蓄積システム。
【請求項２２】
請求項２１記載の蓄積システムにおいて、
前記少なくとも１つの追加条件は、ライセンスに関係する蓄積システム。
【請求項２３】
請求項２１記載の蓄積システムにおいて、
前記事業体は、データへのアクセスが許諾される前に前記第１および第２のアクセスポリシーの両方に準拠する必要がある蓄積システム。
【請求項２４】
請求項１記載の蓄積システムにおいて、
前記不揮発性メモリに蓄積される少なくとも１つのデータオブジェクトをさらに備え、前記少なくとも１つのデータオブジェクトは、前記データの少なくとも一部および前記少なくとも１つのデータオブジェクトと前記１つ以上のソフトウェアアプリケーションとの間の少なくとも１つの結び付きを収容し、これにより、前記事業体によって前記少なくとも１つのデータオブジェクトがアクセスされるときには、前記少なくとも１つのデータオブジェクトの中にある前記少なくとも一部のデータを処理して情報を入手するため、前記少なくとも１つの結び付きにより前記１つ以上のソフトウェアアプリケーションが起動される蓄積システム。
【請求項２５】
請求項２４記載の蓄積システムにおいて、
前記アクセス管理構造は、前記不揮発性メモリに蓄積された前記データに対する前記少なくとも１つの事業体によるアクセスを認証プロセスを通じて管理し、前記認証プロセスを通じて前記事業体が前記アクセス管理構造によって認証された後には、前記１つ以上のソフトウェアアプリケーションのさらなる起動がなくとも、前記事業体に対して前記情報を開示できる蓄積システム。
【請求項２６】
請求項２５記載の蓄積システムにおいて、
前記事業体は、前記少なくとも１つのデータオブジェクトの中にある前記少なくとも一部のデータにはアクセスできない蓄積システム。
【請求項２７】
請求項１記載の蓄積システムにおいて、
前記アクセス管理構造は、前記不揮発性メモリに蓄積済みかまたは蓄積されるべきデータから入手可能な情報に対する前記事業体によるアクセスを管理する第１の副管理構造と、前記１つ以上のソフトウェアアプリケーションの起動を管理する第２の副管理構造と、を備え、前記第１および第２の副管理構造は、概ね同じ管理機構を使用する蓄積システム。
【請求項２８】
請求項１記載の蓄積システムにおいて、
前記不揮発性メモリに蓄積され、前記アクセス管理構造の管理下で前記事業体からのデータまたは前記データから派生する派生データを、少なくとも１つのデータオブジェクトに提供しかつ蓄積することを可能にするため、前記事業体により１つずつ選択される、異なるプロトコルからなる複数の第１のプロトコルセットと、
前記不揮発性メモリに蓄積され、前記アクセス管理構造の管理下で前記少なくとも１つのデータオブジェクトから前記データまたは派生データを引き出すことを可能にする、第２のプロトコルセットと、をさらに備え、
前記第２のプロトコルセットは、提供しかつ蓄積することを可能にした前記第１のプロトコルセットがどれであれ、前記データまたは派生データを引き出すことを可能にできる蓄積システム。
【請求項２９】
請求項２８記載の蓄積システムにおいて、
前記第１のプロトコルセット間の違いは、前記不揮発性メモリの認証または前記データの暗号化に関係する蓄積システム。
【請求項３０】
請求項２８記載の蓄積システムにおいて、
前記不揮発性メモリに蓄積される複数の異なるソフトウェアアプリケーションをさらに備え、少なくともいくつかの異なるソフトウェアアプリケーションの各々は、前記第１のプロトコルセットのうちのいずれか１つに対応し、これにより、前記データまたは派生データを提供しかつ蓄積することを可能にするために前記第１のプロトコルセットのうちのいずれか１つが選択されると、前記データまたは派生データを処理するため、前記いずれか１つの第１のセットに対応する前記ソフトウェアアプリケーションが起動される蓄積システム。
【請求項３１】
請求項３０記載の蓄積システムにおいて、
前記少なくともいくつかの異なるソフトウェアアプリケーションの各々は、前記データまたは派生データの処理から異なる結果をもたらす蓄積システム。
【請求項３２】
請求項３０記載の蓄積システムにおいて、
前記データまたは派生データは、複数のシード値のうちのいずれか１つを含み、前記少なくともいくつかの異なるソフトウェアアプリケーションの各々は、前記複数のシード値のうちの対応するいずれか１つを処理することにより、対応する使い捨てパスワードを生成する蓄積システム。
【請求項３３】
請求項３０記載の蓄積システムにおいて、
前記不揮発性メモリは暗号化データを蓄積し、前記データまたは派生データは、前記暗号化コンテンツを復号化する複数の復号化鍵のうちのいずれか１つを含み、前記少なくともいくつかの異なるソフトウェアアプリケーションの各々は、前記暗号化コンテンツの復号化にあたって前記複数の復号化鍵のうちの対応するいずれか１つを使用する蓄積システム。
【請求項３４】
請求項１記載の蓄積システムにおいて、
データは、前記１つ以上のソフトウェアアプリケーションによって処理された後に前記事業体によってアクセスされる蓄積システム。
【請求項３５】
請求項１記載の蓄積システムにおいて、
前記蓄積システムに蓄積されるデータは、前記不揮発性メモリに蓄積された暗号化コンテンツにアクセスするための少なくとも１つのライセンスを含み、前記事業体へ提供されるデータは、前記少なくとも１つのライセンスが有効か否かの指示を含む蓄積システム。
【請求項３６】
請求項３５記載の蓄積システムにおいて、
前記不揮発性メモリは暗号化データを蓄積し、前記アクセス管理構造は、前記指示に応じて前記暗号化コンテンツの復号化を管理する蓄積システム。
【請求項３７】
請求項１記載の蓄積システムにおいて、
前記１つ以上のソフトウェアアプリケーションは、前記コントローラによって暗黙的に起動される蓄積システム。
【請求項３８】
請求項１記載の蓄積システムにおいて、
前記事業体は、前記蓄積システムに蓄積されたデータへアクセスできないが、前記１つ以上のソフトウェアアプリケーションとの通信は許可される蓄積システム。
【請求項３９】
事業体にデータ処理サービスを提供する方法であって、
コントローラと、データを蓄積する不揮発性メモリと、１つ以上のソフトウェアアプリケーションと、事業体を認証するための情報および前記事業体が認証されしだい前記事業体が前記データにアクセスし、かつ前記ソフトウェアアプリケーションのうちの特定のソフトウェアアプリケーションを起動し、かつこれと通信する権限を判断するためのさらなる情報を収容するアクセス管理構造と、を備える蓄積システムにより事業体を認証するステップと、
前記１つ以上のソフトウェアアプリケーションのうちの特定のソフトウェアアプリケーションと通信するために認証済み事業体から要求を受信し、前記１つ以上のソフトウェアアプリケーションのうちの特定のソフトウェアアプリケーションと通信する権限が前記認証済み事業体にある場合に限り前記要求を許諾し、かつ前記１つ以上のソフトウェアアプリケーションのうちの特定のソフトウェアアプリケーションを、これが現在実行中でなければ、実行するステップと、
前記メモリでデータの書き込みまたは読み出しを行うために要求を受信し、かつ前記メモリへアクセスする権限が前記事業体にある場合に前記書き込みまたは読み出し要求を許諾するステップと、
を含む方法。
【請求項４０】
請求項３９記載の方法において、
前記アクセス管理構造は、前記１つ以上のソフトウェアアプリケーションの権限を判断するためのさらなる情報を収容する方法。
【請求項４１】
請求項３９記載の方法において、
前記アクセス管理構造は、前記蓄積システムに蓄積されたデータのうちの、前記事業体と前記１つ以上のソフトウェアアプリケーションとの両方にアクセスを許可するデータがどれなのかを判断するためのさらなる情報を収容する方法。
【請求項４２】
請求項３９記載の方法において、
前記アクセス管理構造は、前記ソフトウェアアプリケーションのうちの特定のソフトウェアアプリケーションが前記不揮発性メモリに蓄積された前記データにアクセスする権限を管理するためのさらなる情報を収容する方法。
【請求項４３】
請求項３９記載の方法において、
前記コントローラは、前記データの共用を目的に別々の事業体およびソフトウェアアプリケーション間で権限を委譲するにあたって、前記アクセス管理構造をさらに利用するように機能する方法。
【請求項４４】
請求項３９記載の方法において、
前記アクセス管理構造は、第１および第２の副管理構造を含み、前記第１の副管理構造は前記１つ以上のソフトウェアアプリケーションに結び付き、前記第２の副管理構造は事業体に結び付き、前記第１の副管理構造と前記第２の副管理構造との間では権限を委譲できる方法。
【請求項４５】
請求項３９記載の方法において、
前記１つ以上のソフトウェアアプリケーションは、前記データの処理にあたって前記事業体によって選択できかつ起動できるＤＲＭソフトウェアアプリケーションを含む方法。
【請求項４６】
請求項３９記載の方法において、
前記１つ以上のソフトウェアアプリケーションは２つ以上のソフトウェアアプリケーションを含み、前記事業体は、データ処理要求によって前記２つ以上のソフトウェアアプリケーションを起動し、前記蓄積システムは、前記２つ以上のソフトウェアアプリケーションの各々１つに対応し、前記事業体から前記２つ以上のソフトウェアアプリケーションへ前記データ処理要求を通過させる通信チャネルをさらに備え、前記アクセス管理構造は、前記事業体から前記２つ以上のソフトウェアアプリケーションのうちのいずれか１つにかけて前記データ処理要求のうちのいずれか１つを通過させるために前記通信チャネルを管理し、前記通信チャネルの各々は、ただ１つのアプリケーションに対応する方法。
【請求項４７】
請求項４６記載の方法において、
前記通信チャネルを通過するデータ処理要求の情報は、前記蓄積システムの中にあるセキュアストレージアプリケーションにとって透過である方法。
【請求項４８】
請求項３９記載の方法において、
前記１つ以上のソフトウェアアプリケーションから前記蓄積システムの中にあるセキュアストレージアプリケーションへ要求を送信するステップをさらに含み、前記セキュアストレージアプリケーションは、前記事業体からの要求と前記１つ以上のソフトウェアアプリケーションからの要求とを区別しない方法。
【請求項４９】
請求項３９記載の方法において、
情報を求める要求が前記事業体によって前記アクセス管理構造へ送信されると、前記事業体によってアクセスされる少なくとも１つのデータオブジェクトと前記１つ以上のソフトウェアアプリケーションとの間の少なくとも１つの結び付きにより、前記１つ以上のソフトウェアアプリケーションが起動される方法。
【請求項５０】
請求項４９記載の方法において、
前記データは復号化鍵値を含み、前記情報は、前記１つ以上のソフトウェアアプリケーションによって暗号化コンテンツと前記復号化鍵値とから得られる復号化コンテンツを含む方法。
【請求項５１】
請求項４９記載の方法において、
前記データは、前記１つ以上のソフトウェアアプリケーションにより使い捨てパスワードを生成するためのシード値を含み、前記情報は、前記使い捨てパスワードを含む方法。
【請求項５２】
請求項３９記載の方法において、
前記１つ以上のソフトウェアアプリケーションは、公開鍵／秘密鍵対の公開鍵を収容する少なくとも１つの証明書を使用することにより、前記事業体に対して前記公開鍵が真正であることを証明し、かつ前記公開鍵により暗号化されたデータを入手する方法。
【請求項５３】
請求項３９記載の方法において、
前記不揮発性メモリに蓄積される暗号化データは、前記蓄積システムに蓄積された復号化鍵によって復号化でき、前記復号化鍵に対するアクセスの管理にあたって前記アクセス管理構造が利用される方法。
【請求項５４】
請求項５３記載の方法において、
前記復号化鍵にアクセスできるのは前記コントローラだけである方法。
【請求項５５】
請求項３９記載の方法において、
前記事業体と前記蓄積システムとの通信のために前記不揮発性メモリに蓄積される１セットのプロトコルは、前記１つ以上のソフトウェアアプリケーションの起動により修正できる方法。
【請求項５６】
請求項５５記載の方法において、
前記１つ以上のソフトウェアアプリケーションの起動は、前記少なくとも１つのプロトコルを別のプロトコルに差し替える方法。
【請求項５７】
請求項５６記載の方法において、
前記別のプロトコルは、信用証明取消制度に関係する方法。
【請求項５８】
請求項３９記載の方法において、
前記アクセス管理構造は、アクセスポリシーを執行することによってデータへのアクセスを管理し、前記１つ以上のソフトウェアアプリケーションの起動は、前記事業体による前記データへのアクセスにあたって前記アクセスポリシーとは異なる少なくとも１つの追加条件を課す方法。
【請求項５９】
請求項５８記載の方法において、
前記少なくとも１つの追加条件は、ライセンスに関係する方法。
【請求項６０】
請求項５８記載の方法において、
前記事業体は、データへのアクセスが許諾される前に前記第１および第２のアクセスポリシーの両方に準拠する必要がある方法。
【請求項６１】
請求項３９記載の方法において、
前記事業体によって前記少なくとも１つのデータオブジェクトがアクセスされるときには、前記少なくとも１つのデータオブジェクトの中にある前記少なくとも一部のデータを処理して情報を入手するため、少なくとも１つのデータオブジェクトと前記１つ以上のソフトウェアアプリケーションとの間の少なくとも１つの結び付きにより前記１つ以上のソフトウェアアプリケーションが起動される方法。
【請求項６２】
請求項６１記載の方法において、
前記アクセス管理構造は、前記不揮発性メモリに蓄積されたデータに対する前記少なくとも１つの事業体によるアクセスを認証プロセスを通じて管理し、前記認証プロセスを通じて前記事業体が前記アクセス管理構造によって認証された後には、前記１つ以上のソフトウェアアプリケーションのさらなる起動がなくとも、前記事業体に対して前記情報を開示できる方法。
【請求項６３】
請求項６２記載の方法において、
前記事業体は、前記少なくとも１つのデータオブジェクトの中にある前記少なくとも一部のデータにはアクセスできない方法。
【請求項６４】
請求項３９記載の方法において、
前記アクセス管理構造は、前記不揮発性メモリに蓄積済みかまたは蓄積されるべきデータから入手可能な情報に対する前記事業体によるアクセスを管理する第１の副管理構造と、前記１つ以上のソフトウェアアプリケーションの起動を管理する第２の副管理構造と、を備え、前記第１および第２の副管理構造は、概ね同じ管理機構を使用する方法。
【請求項６５】
請求項３９記載の方法において、
前記蓄積システムは、
前記不揮発性メモリに蓄積され、前記アクセス管理構造の管理下で前記事業体からのデータまたは前記データから派生する派生データを、少なくとも１つのデータオブジェクトに提供しかつ蓄積することを可能にするため、前記事業体により１つずつ選択される、異なるプロトコルからなる複数の第１のプロトコルセットと、
前記不揮発性メモリに蓄積され、前記アクセス管理構造の管理下で前記少なくとも１つのデータオブジェクトから前記データまたは派生データを引き出すことを可能にする、第２のプロトコルセットと、をさらに備え、
前記第２のプロトコルセットは、提供しかつ蓄積することを可能にした前記第１のプロトコルセットがどれであれ、前記データまたは派生データを引き出すことを可能にできる方法。
【請求項６６】
請求項６５記載の方法において、
前記第１のプロトコルセット間の違いは、前記不揮発性メモリの認証または前記データの暗号化に関係する方法。
【請求項６７】
請求項６５記載の方法において、
前記不揮発性メモリには複数の異なるソフトウェアアプリケーションが蓄積され、少なくともいくつかの異なるソフトウェアアプリケーションの各々は、前記第１のプロトコルセットのうちのいずれか１つに対応し、これにより、前記データまたは派生データを提供しかつ蓄積することを可能にするために前記第１のプロトコルセットのうちのいずれか１つが選択されると、前記データまたは派生データを処理するため、前記いずれか１つの第１のセットに対応する前記ソフトウェアアプリケーションが起動される方法。
【請求項６８】
請求項６７記載の方法において、
前記少なくともいくつかの異なるソフトウェアアプリケーションの各々は、前記データまたは派生データの処理から異なる結果をもたらす方法。
【請求項６９】
請求項６７記載の方法において、
前記データまたは派生データは、複数のシード値のうちのいずれか１つを含み、前記少なくともいくつかの異なるソフトウェアアプリケーションの各々は、前記複数のシード値のうちの対応するいずれか１つを処理することにより、対応する使い捨てパスワードを生成する方法。
【請求項７０】
請求項６７記載の方法において、
前記不揮発性メモリは暗号化データを蓄積し、前記データまたは派生データは、前記暗号化コンテンツを復号化する複数の復号化鍵のうちのいずれか１つを含み、前記少なくともいくつかの異なるソフトウェアアプリケーションの各々は、前記暗号化コンテンツの復号化にあたって前記複数の復号化鍵のうちの対応するいずれか１つを使用する方法。
【請求項７１】
請求項３９記載の方法において、
データは、前記１つ以上のソフトウェアアプリケーションによって処理された後に前記事業体によってアクセスされる方法。
【請求項７２】
請求項３９記載の方法において、
前記蓄積システムに蓄積されるデータは、前記不揮発性メモリに蓄積された暗号化コンテンツにアクセスするための少なくとも１つのライセンスを含み、前記事業体へ提供されるデータは、前記少なくとも１つのライセンスが有効か否かの指示を含む方法。
【請求項７３】
請求項７２記載の方法において、
前記不揮発性メモリは暗号化データを蓄積し、前記アクセス管理構造は、前記指示に応じて前記暗号化コンテンツの復号化を管理する方法。
【請求項７４】
請求項３９記載の方法において、
前記１つ以上のソフトウェアアプリケーションは、前記コントローラによって暗黙的に起動される方法。
【請求項７５】
請求項３９記載の方法において、
前記事業体は、前記蓄積システムに蓄積されたデータへアクセスできないが、前記１つ以上のソフトウェアアプリケーションとの通信は許可される方法。